(57)【要約】【課題】管楽器の把持部に手の汗や脂等の汚れが付着することを防止することができる保護シートを提供すること。【解決手段】本発明は、管楽器の把持部Ｈを保護するための保護シート１であって、ポリウレタン系樹脂を含むシート状のグリップ層１０と、該グリップ層１０に積層された接着剤を含む接着層２０と、該接着層２０に積層された繊維生地を含む吸湿層３０と、を有し、両側に連結部４０が設けられており、グリップ層１０側が把持部Ｈに当接するように該把持部Ｈに巻き付けると共に連結部４０同士を連結することにより該把持部Ｈに取り付け可能な保護シート１である。【選択図】図１
2019144361.tif 000002
【特許請求の範囲】
【請求項１】
管楽器の把持部を保護するための保護シートであって、
ポリウレタン系樹脂を含むシート状のグリップ層と、
該グリップ層に積層された接着剤を含む接着層と、
該接着層に積層された繊維生地を含む吸湿層と、
を有し、
両側に連結部が設けられており、
前記グリップ層側が前記把持部に当接するように該把持部に巻き付けると共に前記連結部同士を連結することにより該把持部に取り付け可能な保護シート。
【請求項２】
管楽器の把持部を保護するための保護シートであって、
ポリウレタン系樹脂を含むシート状のグリップ層と、
該グリップ層に積層されたラッカー剤を含む中間層と、
該中間層に積層された接着剤を含む接着層と、
該接着層に積層された繊維生地を含む吸湿層と、
を有し、
両側に連結部が設けられており、
前記グリップ層側が前記把持部に当接するように該把持部に巻き付けると共に前記連結部同士を連結することにより該把持部に取り付け可能な保護シート。
【請求項３】
前記グリップ層の厚みが０．３ｍｍ〜１０．０ｍｍであり、ＪＩＳ Ｋ−７３１１に準じて測定した前記グリップ層のショア硬さが７０Ａ〜９０Ａである請求項１又は２に記載の保護シート。
【請求項４】
前記繊維生地が、昇華転写プリントにより着色されたポリエステル生地である請求項１〜３のいずれか１項に記載の保護シート。
【請求項５】
グリップ層の一方端側と、吸湿層の他方端側とに前記連結部が設けられており、
該連結部が面ファスナーである請求項１〜４のいずれか１項に記載の保護シート。
【請求項６】
前記管楽器がトランペットであり、
横方向に延びる上片部と、
横方向に延びる下片部と、
前記上片部及び前記下片部を連結する接続部と、
を備える平面横Ｈ字状である請求項１〜５のいずれか１項に記載の保護シート。
【請求項７】
前記上片部には、前記下片部側に突出する上突出部が設けられ、
前記下片部には、前記上片部側に突出する下突出部が設けられ、
前記上突出部と前記下突出部とが対向するように配置されている請求項６記載の保護シート。
【発明の詳細な説明】
【技術分野】
【０００１】
本発明は、保護シートに関し、更に詳しくは、管楽器の把持部を保護するための保護シートに関する。
【背景技術】
【０００２】
管楽器の演奏においては、演奏者が当該管楽器を把持する部分である把持部を手に持った状態で演奏するため、当該把持部には手の汗や脂等の汚れが付着することになる。
それに対し、管楽器を清掃するための清掃具が知られているが（例えば、特許文献１参照）、把持部に手の汗や脂等の汚れが付着すること自体を防止するものは、知られていない。
そのため、従来では、把持部に手の汗や脂等の汚れが付着した後、ハンカチやタオル等でその汚れを拭き取るという作業が一般的に行われている。
【先行技術文献】
【特許文献】
【０００３】
【特許文献１】特開２０１５−２６０３７号公報
【発明の概要】
【発明が解決しようとする課題】
【０００４】
しかしながら、ハンカチやタオル等で把持部を拭いたとしても、ある程度の汚れは除去できるものの十分とは言えない。
そして、それが多数回繰り返されることにより、残存する汚れが徐々に蓄積し、結果として、把持部の部分を変色させてしまう恐れがある。
【０００５】
本発明は、上記事情に鑑みてなされたものであり、管楽器の把持部に手の汗や脂等の汚れが付着することを防止することができる保護シートを提供することを目的とする。
【課題を解決するための手段】
【０００６】
本発明者は、上記課題を解決するため鋭意検討したところ、グリップ層と吸湿層とを有するシート状とし、これを、グリップ層側を把持部に当接するように巻き付けると共に連結部同士を連結して、当該把持部に取り付けることにより、上記課題を解決できることを見出し、本発明を完成させるに至った。
【０００７】
本発明は、（１）管楽器の把持部を保護するための保護シートであって、ポリウレタン系樹脂を含むシート状のグリップ層と、該グリップ層に積層された接着剤を含む接着層と、該接着層に積層された繊維生地を含む吸湿層と、を有し、両側に連結部が設けられており、グリップ層側が把持部に当接するように該把持部に巻き付けると共に連結部同士を連結することにより該把持部に取り付け可能な保護シートに存する。
【０００８】
本発明は、（２）管楽器の把持部を保護するための保護シートであって、ポリウレタン系樹脂を含むシート状のグリップ層と、該グリップ層に積層されたラッカー剤を含む中間層と、該中間層に積層された接着剤を含む接着層と、該接着層に積層された繊維生地を含む吸湿層と、を有し、両側に連結部が設けられており、グリップ層側が把持部に当接するように該把持部に巻き付けると共に連結部同士を連結することにより該把持部に取り付け可能な保護シートに存する。
【０００９】
本発明は、（３）グリップ層の厚みが０．３ｍｍ〜１０．０ｍｍであり、ＪＩＳ−Ｋ７３１１に準じて測定したグリップ層のショア硬さが７０Ａ〜９０Ａである上記（１）又は（２）に記載の保護シートに存する。
【００１０】
本発明は、（４）繊維生地が、昇華転写プリントにより着色されたポリエステル生地である上記（１）〜（３）のいずれか１つに記載の保護シートに存する。
【００１１】
本発明は、（５）グリップ層の一方端側と、吸湿層の他方端側とに連結部が設けられており、該連結部が面ファスナーである上記（１）〜（４）のいずれか１つに記載の保護シートに存する。
【００１２】
本発明は、（６）管楽器がトランペットであり、横方向に延びる上片部と、横方向に延びる下片部と、上片部及び下片部を連結する接続部と、を備える平面横Ｈ字状である上記（１）〜（５）のいずれか１つに記載の保護シートに存する。
【００１３】
本発明は、（７）上片部には、下片部側に突出する上突出部が設けられ、下片部には、上片部側に突出する下突出部が設けられ、上突出部と下突出部とが対向するように配置されている上記（６）記載の保護シートに存する。
【発明の効果】
【００１４】
本発明の保護シートは、把持部に取り付けることにより、演奏する際には、把持部に手の汗等の汚れが付着することを防止することができ、保管する際には、把持部に埃が付着したり、外部からの衝撃で傷が付く等の事態が生じることを抑制することができる。
このとき、保護シートは、ポリウレタン系樹脂を含むグリップ層を有するので、管楽器の把持部に対してずれることを防止することができる。すなわち、保護シートが把持部にフィットするので、保護シートを介して管楽器の把持部を把持したとしても、違和感なく演奏することができる。
また、保護シートは、繊維生地を含む吸湿層を有するので、手の汗や脂を吸湿することも可能である。
【００１５】
本発明の保護シートは、繊維生地を有しているので、該繊維生地を着色することができる。例えば、繊維生地であるポリエステル生地に対し、昇華転写プリントを施すことにより、ポリエステル生地を着色することができる。これにより、保護シートの意匠性が向上する。
【００１６】
本発明の保護シートは、吸湿層と、グリップ層とが接着層により接着されているので、耐久性に優れ、洗濯することも可能となっている。これにより、衛生的に使用することができる。
【００１７】
本発明の保護シートは、グリップ層と接着層との間に、ラッカー剤を含む中間層を有することにより、接着性をより向上させることができる。
このとき、ラッカー剤は、グリップ層に含まれるポリウレタン系樹脂と同質である熱可塑性ポリウレタン系樹脂と、硬化剤とを含むことが好ましい。
【００１８】
本発明の保護シートにおいては、グリップ層の厚みを０．３ｍｍ〜１０．０ｍｍとし、ＪＩＳ−Ｋ７３１１に準じて測定したグリップ層のショア硬さを７０Ａ〜９０Ａとすることにより、適度な柔軟性及び硬度を有するものとなる。
【００１９】
本発明の保護シートにおいては、グリップ層の一方端側と、吸湿層の他方端側とに設けられた連結部が面ファスナーである場合、把持部への着脱が極めて容易となる。
【００２０】
本発明の保護シートにおいては、管楽器がトランペットである場合、上片部及び下片部を把持部に巻き付けて取り付けることにより、接続部が掌に当接されることになる。
したがって、保護シートが上述したような形状を有していることにより、トランペットの把持部を十分に覆うことができる。
【００２１】
このとき、上突出部、下突出部及び左右突出部を更に設けることにより、上突出部又は下突出部がトランペットを把持した際の中指又は薬指に当接されることになる。
したがって、この場合、トランペットの把持部をより十分に覆うことが可能となる。
【図面の簡単な説明】
【００２２】
【図１】図１は、本発明に係る保護シートの第１実施形態を模式的に示す断面図である。
【図２】図２は、第１実施形態に係る保護シートの連結部同士の連結を説明するための説明図である。
【図３】図３は、第１実施形態に係る保護シートの展開図である。
【図４】図４の（ａ）は、第１実施形態に係る保護シートをトランペットの把持部に取り付けたトランペットの左面図であり、図４の（ｂ）は、その右面図であり、図４の（ｃ）は、図４の（ａ）のトランペットの把持部を把持する場合の左手を模式的に記載した左面図であり、図４の（ｄ）は、図４の（ｂ）のトランペットの把持部を把持する場合の左手を模式的に記載した右面図である。
【図５】図５の（ａ）は、第１実施形態に係る保護シートをトランペットの把持部に取り付けたトランペットを左手で把持した状態を模式的に示す左面図であり、図５の（ｂ）は、その右面図である。
【図６】図６は、本発明に係る保護シートの第２実施形態を模式的に示す断面図である。
【図７】図７は、他の実施形態に係る保護シートの展開図である。
【発明を実施するための形態】
【００２３】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２４】
本発明に係る保護シートは、管楽器を演奏する際に、管楽器に備わっている部分で、手等で把持する部分（以下「把持部」という。）を保護するために、当該把持部に取り付けて用いられる。
したがって、演奏者は、管楽器を演奏する際には、保護シートを介して管楽器の把持部を把持することになる。
なお、かかる管楽器としては、木管楽器、金管楽器等、特に限定されないが、好適には、トランペット、ホルン、ユーフォニアム、チューバ等のピストンの部分を把持して演奏する楽器が挙げられる。
【００２５】
まず、本発明に係る保護シートの第１実施形態について説明する。
図１は、本発明に係る保護シートの第１実施形態を模式的に示す断面図である。
図１に示すように、第１実施形態に係る保護シート１は、グリップ層１０と、該グリップ層１０に積層された接着層２０と、該接着層２０に積層された吸湿層３０とを有する。すなわち、第１実施形態に係る保護シート１においては、グリップ層１０と、吸湿層３０とが接着層２０により接着された構成となっている。
そして、保護シート１は、その両側に、互いに連結可能な連結部４０が設けられている。
【００２６】
保護シート１は、グリップ層１０側が把持部に当接するようにして当該把持部に巻き付けられ、両側の連結部４０同士を連結することにより当該把持部に取り付けられる。なお、保護シート１を把持部に取り付ける場合の詳細については後述する。
保護シート１においては、把持部に取り付けることにより、当該把持部を手に持って演奏する際には、把持部に手の汗等の汚れが付着することを防止することができ、保管する際には、把持部に埃が付着したり、外部からの衝撃で傷が付く等の事態が生じることを抑制することができる。
【００２７】
グリップ層１０は、ポリウレタン系樹脂を主成分として含む。すなわち、グリップ層１０は、ポリウレタン系樹脂をシート状に成形したものである。
このように、保護シート１においては、グリップ層１０がポリウレタン系樹脂を含むため、グリップ力が向上する。このため、グリップ層１０側が把持部に当接するように、保護シート１を把持部に取り付けた場合、把持部に対して保護シート１がずれ難くなるという利点を有する。
【００２８】
かかるポリウレタン系樹脂としては、エーテル系ポリウレタン樹脂やエステル系ポリウレタン樹脂等が好適に採用される。なお、グリップ層１０には、ポリウレタン系樹脂の他に、成形の際に用いられる充填剤や可塑剤等の添加剤が含まれていてもよい。
また、グリップ層１０は、透明であっても、又は、着色剤が含まれることにより着色されていてもよい。なお、後述するように、吸湿層に昇華転写プリントを施す場合は、発色性の観点から、グリップ層１０は透明又は淡色であることが好ましい。
【００２９】
グリップ層１０は、厚みが、０．３ｍｍ〜１０．０ｍｍであることが好ましい。
厚みが０．３ｍｍ未満であると、厚みが上記範囲内にある場合と比較して、屈曲した状態から元の状態に戻る復元力が不十分となる傾向にある。一方、厚みが１０．０ｍｍを超えると、厚みが上記範囲内にある場合と比較して、重量が大きくなると共に、屈曲し難く、把持部に取り付け難くなる傾向がある。また、演奏者が管楽器を把持した際に違和感が生じる場合がある。
【００３０】
グリップ層１０においては、ＪＩＳ Ｋ−７３１１に準じて測定したショア硬さが７０Ａ〜９０Ａであることが好ましい。
ショア硬さが７０Ａ未満であると、ショア硬さが上記範囲内にある場合と比較して、屈曲した状態から元の状態に戻る復元力が不十分となる傾向にある。一方、ショア硬さが９０Ａを超えると、ショア硬さが上記範囲内にある場合と比較して、屈曲し難く、把持部に取り付け難くなる傾向がある。
【００３１】
グリップ層１０においては、上述したように、厚みを０．３ｍｍ〜１０．０ｍｍとし、且つ、ショア硬さを７０Ａ〜９０Ａとすることにより、適度な柔軟性及び硬度を有するものとなる。すなわち、管楽器の把持部の形状に追従するように、確実に保護シート１を取り付けることができ、且つ、取り外した際には折り目が付かず、元の状態とすることができる。
【００３２】
接着層２０は、接着剤を含む。具体的には、接着層２０は、グリップ層１０と吸湿層３０とを接着剤で接着することにより、グリップ層１０と吸湿層３０との間に形成される層である。
保護シート１においては、吸湿層３０と、グリップ層１０とが接着層２０により接着されているので、耐久性に優れ、洗濯することも可能となっている。これにより、衛生的に使用することが可能となる。
なお、接着層２０は、接着性の観点から、厚みが、３３μｍ〜４５μｍであることが好ましい。
【００３３】
接着剤としては、特に限定されないが、ホットメルト接着剤が好適に用いられる。
かかるホットメルト接着剤としては、エチレン酢酸ビニル系（ＥＶＡ）、ポリオレフィン系、合成ゴム系、ポリアミド系、ポリエステル系、アクリル系、ポリウレタン系等の熱可塑性合成樹脂が好適に用いられる。これらは単独で用いても複数を混合して用いてもよい。
【００３４】
吸湿層３０は、繊維生地を含む。
このように、保護シート１においては、吸湿層３０が繊維生地を含むため、吸湿性にも優れる。したがって、手と管楽器の把持部との間に、保護シート１を挟み込むことにより、保護シート１が手の汗や脂の汚れが管楽器の把持部に付着することを物理的に妨げると共に、保護シート１自体が手の汗や脂を吸湿する機能も有している。
【００３５】
かかる繊維生地の組織としては、織地や編地等が好ましく採用される。
また、かかる繊維生地の材質としては、ポリエステル生地やポリアミド生地が好適に用いられる。これらの中でも、繊維生地は、直接手に触れる部分であるため、風合いの観点から、ポリエステル生地であることが好ましい。なお、後述するように昇華転写プリントで着色する場合は、昇華転写プリントに適したポリエステル生地を選択することが好ましい。
【００３６】
繊維生地は、着色されていてもよい。
ここで、着色の方法は、特に限定されない。例えば、着色した糸を用いて製造することにより、着色した繊維生地としてもよく、白生地の繊維生地に対して、昇華転写プリント、インクジェットプリント、シルクスクリーンプリント等を施すことにより、着色した繊維生地としてもよい。これらの中でも、小ロット、短納期で、高解像の図柄をプリントできる昇華転写プリントにより、白生地の繊維生地を着色することが好ましい。なお、昇華転写プリントは、転写紙にインクジェットプリンターで高解像図柄（データー画像処理）を印刷し、繊維生地に加圧・熱転写することにより行われる。
これにより、保護シート１は、意匠性に優れ、且つ、風合いを損なわないものとなる。
【００３７】
保護シート１においては、保護シート１の両側に、互いに連結可能な連結部４０が設けられている。
具体的には、保護シート１においては、グリップ層１０の接着層２０とは反対側の面（表面）の一方端側に連結部４０（以下便宜的に「第１連結部４１」という。）が縫着等により設けられており、吸湿層３０の接着層２０とは反対側の面（裏面）の他方端側に連結部４０（以下便宜的に「第２連結部４２」という。）が縫着等により設けられている。すなわち、保護シート１においては、第１連結部４１と第２連結部４２とが、側面視で対角線上に取り付けられている（図１参照）。
【００３８】
ここで、第１連結部４１及び第２連結部４２は、共に面ファスナーからなる。したがって、第１連結部４１及び第２連結部４２のうちの一方がフック状に起毛されたものであり、他方がループ状に起毛されたものとなっている。このため、保護シート１においては、第１連結部４１及び第２連結部４２を当接させることで、両端を的確に連結することができ、反対に、第１連結部４１及び第２連結部４２を離間させることで両端を取り外すことができる。
このことから、保護シート１は、把持部への着脱が極めて容易となる。また、互いの連結部４０を当接させる位置を横方向に調整することにより、把持部により確実にフィットさせることが可能となる。
【００３９】
図２は、第１実施形態に係る保護シートの連結部同士の連結を説明するための説明図である。
図２に示すように、保護シート１においては、環状に屈曲させた状態で、第１連結部４１と第２連結部４２とを当接させる。これにより、第１連結部４１と第２連結部４２とが連結され、保護シート１が環状となった状態で維持されるようになっている。なお、環状となった保護シート１の内側に図示しない把持部が位置することになる。
【００４０】
図３は、第１実施形態に係る保護シートの展開図である。
図３に示すように、保護シート１は、横方向に延びる上片部５１と、横方向に延びる下片部５２と、上片部５１及び下片部５２を連結する接続部５３と、を備える。すなわち、保護シート１は、上面視で平面横Ｈ字状となっている。なお、上片部５１、下片部５２及び接続部５３の断面構造は、それら全て図１に示す構造となっている。
【００４１】
保護シート１においては、上片部５１の上側の両端に、中心から離れるに従って下方に傾斜した傾斜部を有している。
また、上片部５１の下側には、下片部５２側に突出する上突出部５１ａが設けられており、下片部５２の上側には、上片部５１側に突出する下突出部５２ａが設けられている。なお、上突出部５１ａと下突出部５２ａとは、対向するように配置されている。
【００４２】
そして、接続部５３においては、上突出部５１ａ及び下突出部５２ａが設けられている側に突出する第１左右突出部５３ａと、上突出部５１ａ及び下突出部５２ａが設けられている側とは反対側に突出する第２左右突出部５３ｂとが設けられている。
【００４３】
保護シート１においては、上片部５１及び下片部５２の表面の一方端側に、第１連結部４１がそれぞれ設けられており、上片部５１及び下片部５２の裏面の他方端側に、第２連結部４２がそれぞれ設けられている。
【００４４】
図４の（ａ）は、第１実施形態に係る保護シートをトランペットの把持部に取り付けたトランペットの左面図であり、図４の（ｂ）は、その右面図であり、図４の（ｃ）は、図４の（ａ）のトランペットの把持部を把持する場合の左手を模式的に記載した左面図であり、図４の（ｄ）は、図４の（ｂ）のトランペットの把持部を把持する場合の左手を模式的に記載した右面図である。なお、図４の（ａ）及び（ｂ）においては、保護シート１として、着色されたものを用いている。
また、図５の（ａ）は、第１実施形態に係る保護シートをトランペットの把持部に取り付けたトランペットを左手で把持し右手を添えた状態を模式的に示す左面図であり、図５の（ｂ）は、第１実施形態に係る保護シートをトランペットの把持部に取り付けたトランペットを左手で把持した状態を模式的に示す右面図である。
図４の（ａ）及び（ｂ）に示すように、保護シート１は、グリップ層１０側が把持部Ｈに当接するようにして該把持部Ｈに巻き付けられ、上片部５１の第１連結部４１を第２連結部４２に連結させると共に、下片部５２の第１連結部４１を第２連結部４２に連結させることにより把持部Ｈに取り付けられる。
【００４５】
保護シート１においては、上片部５１の上側の両端に傾斜部を有しているので、保護シート１をトランペットの把持部Ｈに取り付けることにより、把持部Ｈの右面側の上部が露出するようになっている。これにより、保護シート１を把持部に取り付けた場合、右手の指（例えば、親指）が入り易くなるという利点がある。
また、図４の（ｃ）及び（ｄ）並びに図５の（ａ）及び（ｂ）に示すように、保護シート１においては、上片部５１及び下片部５２を有しているので、トランペットを把持した際の左手の掌が、上片部５１及び下片部５２の中央と、接続部５３とに当接され、左手の中指又は薬指が上突出部５１ａ又は下突出部５２ａに当接されることになる。
【００４６】
これに加え、保護シート１においては、第１左右突出部５３ａ及び第２左右突出部５３ｂを有しているので、トランペットを把持した際の左手の掌が、より把持部Ｈに接触しないようになっている。
したがって、保護シート１によれば、トランペットの把持部Ｈを十分に覆うことができるため、把持部Ｈに手の汗や脂等の汚れが付着することを防止することが可能となる。
【００４７】
次に、第１実施形態に係る保護シート１の製造方法について説明する。
まず、保護シート１の製造方法においては、ポリウレタン系樹脂をシート状に成形したグリップ層に、ホットメルト接着剤を付与する。
このときの付与方法は、特に限定されず、例えば、スクリーン印刷等が採用できる。
そして、ホットメルト接着剤の上に繊維生地（吸湿層）を載置する。なお、かかる繊維生地は、上述したように、着色されていてもよい。
【００４８】
次に、グリップ層及び繊維生地を挟むように熱圧着する。これにより、接着層２０及び吸湿層３０が形成される。なお、熱圧着の条件は、例えば、熱転写機や熱ロータリープレス機を使用し、温度１３０℃〜１５０℃、 圧力０．５〜１．０ｋｇｆｃｍ２、 時間１０秒〜３０秒の条件で行われる。
【００４９】
次に、把持部の形状に沿うように、必要に応じて、抜き加工を行う。
抜き加工は、抜き型を用いたプレス加工により行ってもよく、レーザーを用いたレーザーカット加工により行ってもよい。
これらの中でも、レーザーカット加工を採用することが好ましい。この場合、グリップ層であるポリウレタン系樹脂や吸湿層である繊維生地が溶断されることになるので、切断面が解れることを防止することができる。
【００５０】
そして、連結部（例えば、面ファスナー）を所定箇所に設ける（例えば縫着等）ことにより、保護シート１を製造することができる。
【００５１】
次に、本発明に係る保護シートの第２実施形態について説明する。なお、第１実施形態に係る保護シート１と重複する説明は省略する。
図６は、本発明に係る保護シートの第２実施形態を模式的に示す断面図である。
図６に示すように、第２実施形態に係る保護シート２は、グリップ層１０と、該グリップ層１０に積層された中間層２１と、該中間層２１に積層された接着層２０と、該接着層２０に積層された吸湿層３０とを有する。すなわち、第２実施形態に係る保護シート２は、グリップ層１０と、接着層２０との間に、中間層２１を更に有すること以外は、第１実施形態に係る保護シート１と同じである。
なお、保護シート２は、その両側に、互いに連結可能な連結部４０が設けられている。
保護シート２においては、中間層２１を更に備えるため、耐久性が向上するという利点を有する。すなわち、中間層２１が、いわゆるプライマーの働きをするため、グリップ層１０と接着層２０との接着性を向上させることができる。
【００５２】
保護シート２は、グリップ層１０側が把持部に当接するようにして当該把持部に巻き付けられ、両側の連結部４０同士を連結することにより当該把持部に取り付けられる。
保護シート２においては、把持部に取り付けることにより、演奏する際には、把持部に手の汗等の汚れが付着することを防止することができ、保管する際には、把持部に埃が付着したり、外部からの衝撃で傷が付く等の事態が生じることを抑制することができる。
【００５３】
中間層２１は、ラッカー剤を含む。具体的には、中間層２１は、グリップ層１０と吸湿層３０とを接着剤で接着する前に、グリップ層１０にラッカー剤を予め付与することにより形成される層である。
保護シート２においては、中間層２１が設けられたグリップ層１０と吸湿層３０とが接着層２０により接着されることになるので、より耐久性に優れ、洗濯することも可能となっている。これにより、衛生的に使用することが可能となっている。
なお、中間層２１は、接着性の観点から、厚みが、５μｍ〜１０μｍであることが好ましい。
【００５４】
ラッカー剤としては、例えば、合成樹脂と、硬化剤と、揮発性の溶媒（水や有機溶媒等）とからなる２液型タイプのラッカー剤が挙げられる。
このとき、合成樹脂としては、グリップ層１０との接着性の観点から、ポリウレタン系樹脂と同質である熱可塑性ポリウレタン系樹脂を採用することが好ましい。この場合、中間層２１により、グリップ層１０と接着層２０との接着性をより向上させることができる。
【００５５】
第２実施形態に係る保護シート２の製造方法において、中間層２１は、ポリウレタン系樹脂をシート状に成形したグリップ層１０の上に、ラッカー剤を付与することにより形成される。
このときの付与方法は、特に限定されず、例えば、スクリーン印刷等が採用できる。
【００５６】
なお、中間層２１を形成した後は、第１実施形態に係る保護シート２の製造方法と同様にして、接着層２０及び吸湿層３０が形成される。
そして、連結部（例えば、面ファスナー）を所定箇所に設ける（例えば縫着等）ことにより、保護シート２を製造することができる。
【００５７】
以上、本発明の好適な実施形態について説明したが、本発明は上記実施形態に限定されるものではない。
【００５８】
例えば、第１実施形態に係る保護シート１及び第２実施形態に係る保護シート２においては、接着層２０を形成する接着剤として、ホットメルト接着剤を採用しているが、熱可塑性ポリウレタン系樹脂、熱可塑性ポリアミド系樹等を含むラッカー剤を採用してもよい。
【００５９】
第１実施形態に係る保護シート１及び第２実施形態に係る保護シート２においては、第１連結部４１及び第２連結部４２として、面ファスナーを採用しているが、ボタン、ピン止め、クリップ、バックル、磁石等を用いて連結することも可能である。
また、第１実施形態に係る保護シート１及び第２実施形態に係る保護シート２においては、第１連結部４１及び第２連結部４２を縫着しているが、接着剤で接着してもよい。
【００６０】
第１実施形態に係る保護シート１及び第２実施形態に係る保護シート２は、上面視で平面横Ｈ字状となっているが、これに限定されない。
例えば、図７に示すように、保護シート３は、接続部５３の上突出部５１ａ及び下突出部５２ａが設けられている側に突出する第１左右突出部５３ａを有していなくてもよい。
【産業上の利用可能性】
【００６１】
本発明の保護シートは、管楽器の把持部を保護するために利用することができる。
本発明の保護シートによれば、管楽器の把持部に手の汗や脂等の汚れが付着することを防止することができる。
【符号の説明】
【００６２】
１，２・・・保護シート
１０・・・グリップ層
２０・・・接着層
２１・・・中間層
３０・・・吸湿層
４０・・・連結部
４１・・・第１連結部
４２・・・第２連結部
５１・・・上片部
５１ａ・・・上突出部
５２・・・下片部
５２ａ・・・下突出部
５３・・・接続部
５３ａ・・・第１左右突出部
５３ｂ・・・第２左右突出部
Ｈ・・・把持部
【図１】
2019144361.tif 000003
【図２】
2019144361.tif 000004
【図３】
2019144361.tif 000005
【図４】
2019144361.tif 000006
【図５】
2019144361.tif 000007
【図６】
2019144361.tif 000008
【図７】
2019144361.tif 000009